(57)【特許請求の範囲】
【請求項１】
パッケージの側端部で外方に開口されたパイロット部を、ピン立て治具に立設されたパイロットピンに対向させるとともに、前記パイロット部が設けられた側端部と対向する側端部で外方に開口されたガイド部に前記ピン立て治具に立設されたガイドピンを嵌入し、次いで前記パイロット部をパイロットピンに当接させることで前記パッケージを位置決めし、前記位置決めされたパッケージ凹部内に固体撮像素子を搭載する
ことを特徴とする固体撮像素子の搭載方法。
【請求項２】
側端部で外方に開口されたパイロット部と、当該パイロット部が設けられた前記側端部と対向する側端部で外方に開口されたガイド部とを備えたパッケージの凹部に固体撮像素子が搭載された固体撮像素子パッケージを装着する方法であって、
所定のピン間隔でパイロットピンとガイドピンとが立設されたピン立て治具上に、前記ピン間隔と同一の間隔で挿入穴が穿設された配線基板を、前記挿入穴に前記パイロットピンと前記ガイドピンとを夫々挿通させて配置する工程と、
前記配線基板上に突出した状態の前記パイロットピンに前記パイロット部を対向させるとともに、前記配線基板上に突出した状態のガイドピンを前記ガイド部に嵌入した後、前記パイロット部を前記パイロットピンに当接させることで前記固体撮像素子パッケージを位置決めし、前記固体撮像素子パッケージを前記配線基板上の所定位置に装着する工程とを有する
ことを特徴とする固体撮像素子パッケージの装着方法。
【請求項３】
請求項２記載の固体撮像素子パッケージの装着方法において、
前記固体撮像素子パッケージを前記配線基板上の所定位置に装着した後、前記配線基板上に装着された固体撮像素子パッケージから前記ピン立て治具を抜き取り、
前記固体撮像素子パッケージ側を前記パイロットピンおよび前記ガイドピンと同一の間隔で一対のピンが突設されたレンズブロックに向けて、当該レンズブロックの一方のピンに前記パイロット部を対向させるとともに、前記ガイド部に前記レンズブロックの他方のピンを嵌入した後、前記パイロット部を前記一方のピンに当接させることで前記配線基板上に装着された前記固体撮像素子パッケージを位置決めし、前記配線基板上に装着された前記固体撮像素子パッケージを前記レンズブロックの所定位置に装着する
ことを特徴とする固体撮像素子パッケージの装着方法。
【発明の詳細な説明】
【０００１】
【発明の属する技術分野】
本発明は、固体撮像素子の搭載方法および固体撮像素子パッケージの装着方法に関し、詳しくは、パッケージにガイド部を設けることにより、パッケージに固体撮像素子を搭載する際や、配線基板やレンズなどに固体撮像素子が搭載された固体撮像素子パッケージを装着する際に、高精度の位置決めを可能とした固体撮像素子の搭載方法および固体撮像素子パッケージの装着方法に係るものである。
【０００２】
【従来の技術】
図４に示すように、従来の固体撮像装置（固体撮像素子パッケージ）２１は、例えばデュアルインラインタイプ（ＤＩＰ）のパッケージ２３の凹部内に固体撮像素子２２を固着し、パッケージ２３の凹部内で図示しない内部リードで固体撮像素子２２の電極パッドと外部リード２４の先端部とが接続されている。そして、パッケージ２３の上面には透明な光学的平板のキャップ２５が接着され、固体撮像素子２２はパッケージ２３内に封止されている。なお、このデュアルインラインタイプのパッケージ２３の場合は、外部リード４はパッケージの外部に導出されている。
【０００３】
この固体撮像装置２１は、配線基板やレンズブロックなどに組み付けるための位置決めの基準として、パッケージ２３の周辺端部内に丸穴２６と長穴２７が設けられており、この丸穴２６と長穴２７に図示しない位置決め用のピンを挿入し、このピンを基準として固体撮像装置２１の位置を決め、しかも長穴２７により固体撮像装置２１の回転を抑えた状態で配線基板にマウント穴に外部リード２４を挿入してマウントする。また、同様な方法でレンズブロックの取付面側に植設した位置決め用のピンを丸穴２６と長穴２７に挿入してレンズブロックと固体撮像装置２１を位置決めし、固体撮像装置２１をレンズブロックに組み付ける。
【０００４】
【発明が解決しようとする課題】
しかしながら、従来技術の固体撮像装置ではパッケージ周辺端部内に位置決め用の丸穴と長穴をそれぞれ設けるために、この穴の分だけ周辺を広く必要とするのでパッケージサイズは大きくなる。また、丸穴と挿入するピン、および長穴と挿入するピンとの間にクリアランスを持たせているため、丸穴とピンとの間および長穴とピンとの間にクリアランス分の間隙が生じ、必然的に組み付け位置誤差と、回転方向の誤差が生ずることになる。
【０００５】
さらに、デュアルインラインタイプの固体撮像装置を配線基板にマウントする際には、外部リードを配線基板のマウント穴に挿入してマウントしているので、固体撮像装置の配線基板への組み付け位置はマウント穴の位置に左右されてしまうことになる。
【０００６】
本発明の課題は、パッケージサイズを大きくしない、組み付け精度の高い固体撮像素子の搭載方法および固体撮像素子パッケージの装着方法を提供することにある。
【０００７】
【課題を解決するための手段】
本発明は斯かる課題を解決する為、本発明の固体撮像素子の搭載方法は、パッケージの側端部で外方に開口されたパイロット部を、ピン立て治具に立設されたパイロットピンに対向させるとともに、前記パイロット部が設けられた側端部と対向する側端部で外方に開口されたガイド部に前記ピン立て治具に立設されたガイドピンを嵌入し、次いで前記パイロット部をパイロットピンに当接させることで前記パッケージを位置決めし、前記位置決めされたパッケージ凹部内に固体撮像素子を搭載することを特徴とする。
【０００８】
又、本発明の固体撮像素子パッケージの装着方法は、側端部で外方に開口されたパイロット部と、当該パイロット部が設けられた前記側端部と対向する側端部で外方に開口されたガイド部とを備えたパッケージの凹部に固体撮像素子が搭載された固体撮像素子パッケージを装着する方法であって、所定のピン間隔でパイロットピンとガイドピンとが立設されたピン立て治具上に、前記ピン間隔と同一の間隔で挿入穴が穿設された配線基板を、前記挿入穴に前記パイロットピンと前記ガイドピンとを夫々挿通させて配置する工程と、前記配線基板上に突出した状態の前記パイロットピンに前記パイロット部を対向させるとともに、前記配線基板上に突出した状態のガイドピンを前記ガイド部に嵌入した後、前記パイロット部を前記パイロットピンに当接させることで前記固体撮像素子パッケージを位置決めし、前記固体撮像素子パッケージを前記配線基板上の所定位置に装着する工程とを有することを特徴とする。
【０００９】
【発明の実施の形態】
本発明の好適な実施の形態について図にもとづいて説明する。なお、本発明の好適な固体撮像装置を外部リードがパッケージの外部に突出していない、リードレスチップキャリア（ＬＣＣ）タイプのパッケージを例に取って説明する。
【００１０】
図１は本発明の固体撮像装置であり、図１（Ａ）は平面図、図１（Ｂ）は側面図、図１（Ｃ）は図１（Ａ）のＳ矢視図である。また、図２は固体撮像装置のパッケージの位置決め方法を説明する平面図である。図１において、１は従来の技術で説明した固体撮像装置とは外部リード以外が同様の構成からなる固体撮像装置で、パッケージ３の凹部に固体撮像素子２が固着され、パッケージ３の凹部内で図示しない内部リードにより固体撮像素子２の電極パッドと外部リード４の先端部とが接続されている。そしてパッケージ３の上面には透明な光学的平板のキャップ５が接着され、固体撮像素子２はパッケージ３内に封止されている。
【００１１】
この固体撮像装置（固体撮像素子パッケージ）１には、固体撮像素子２をパッケージ３にマウントするときや、固体撮像装置１を配線基板やレンズブロックなどに組み付けるときの位置決めの基準として、パッケージ３の端部には外側から開口されたパイロット部６とガイド部７が設けられている。このパイロット部およびガイド部の例として平面視Ｖ字状の切り欠きを設けたパイロット部６と平面視コ字状の切り欠きを設けたガイド部７が挙げられる。そして、この固体撮像装置１のパイロット部６を位置決め用のパイロットピン８に対向させるともにガイドピン９を固体撮像装置１のガイド部７に嵌め合わせた状態で、図２の矢印に示すように、パイロット部６を位置決め用のパイロットピン８に当接させて固体撮像装置１のＸ、Ｙ方向への位置決めが一義的になされ、かつ又ガイド部７がガイドピン９により回転方向に位置決めがされる。
【００１２】
このパイロット部６とガイド部７によりガイドされたパッケージ３に固体撮像素子２を位置決めして搭載することができる。まず、図２に示すように、図示しない固体撮像素子２の搭載用装置上でパッケージ３を矢印方向に移動させてパイロットピン８にパイロット部６を当接させ、ガイドピン９によりガイド部７をガイドさせて位置決めされたパッケージ３に、固体撮像素子２をマウントする。これにより、固体撮像素子２をパッケージ３の所定位置に精度良くマウントした固体撮像装置１を得ることができる。
【００１３】
図３は本発明の固体撮像装置１の配線基板およびレンズブロックへの組み付け方法を説明する斜視図である。図３において、１１は配線基板、１２は配線基板１１に設けられた位置決め用の挿入穴、１３は配線基板１１に固体撮像装置１を固着するための接着剤、１４は外部リード４と接続されるランドパターンである。そして、配線基板１１の下側には固体撮像装置１と配線基板１１を位置決めするピン立て治具１５が配設される。このピン立て治具１５には固体撮像装置１のパイロット部６と当接して固体撮像装置１のパッケージ３を配線基板１１上でＸ、Ｙ方向に位置決めするパイロットピン１６と、ガイド部７をガイドしかつ回転を規制するガイドピン１７が立設されている。なお、配線基板１１に設けられた挿入穴１２のピッチはパイロットピン１６とガイドピン１７のピッチと同一のピッチに形成されている。
【００１４】
固体撮像装置１の撮像面側にはレンズブロック１８が配設される。このレンズブロック１８の取付面側にはパイロットピン１６とガイドピン１７がなすピッチと同じピッチで植設されたピン１９とピン２０が突設されており、ピン１９をパイロット部６に当接させ、ピン２０をガイド部７によりガイドさせることにより、固体撮像装置１の光軸とレンズブロック１７の光軸が合わせられる構成になっている。
【００１５】
固体撮像装置１を配線基板１１に位置決めして組み付けする方法について、図２および図３により説明する。図３に示すように配線基板１１の挿入穴１２からピン立て治具１５のパイロットピン１６とガイドピン１７が突出されており、このパイロットピン１６とガイドピン１７により固体撮像装置１を配線基板１１に位置決め可能な状態にしておく。このとき、配線基板１１の所定の箇所には、あらかじめ接着剤１３が所定量塗布されている。
【００１６】
つぎに、固体撮像装置１のパイロット部６を配線基板１１上に突出したパイロットピン１６に対向させるとともにガイドピン１７を固体撮像装置１のガイド部７に嵌め合わせた状態で、図２の矢印に示すように、パイロット部６をパイロットピン１６に当接させることにより、固体撮像装置１は配線基板１１に対してＸ、Ｙ方向への位置決めが一義的になされるとともに、ガイド部７がガイドピン１７により回転が規制され位置決めがされる。そして、この状態の固体撮像装置１を配線基板１１に押し付け、接着剤１３により固体撮像装置１を配線基板１１に固着する。このとき、固体撮像装置１の外部リード４はパッケージ３から突出していないので（例としてリードレスチップキャリア（ＬＣＣ）タイプのため）固体撮像装置１を配線基板１１に容易に位置決めすることができる。さらに、外部リード４とランドパターン１４とをはんだ付けにより接続する。
【００１７】
配線基板１１に位置決めされて固着され、配線接続された固体撮像装置１に対してレンズブロック１８を実装する方法について図３により説明する。固体撮像装置１が固着された配線基板１１からピン立て治具１５を抜き取る。そして、ピン立て治具１５が抜き取られた固体撮像装置のパイロット部６とガイド部７および配線基板１１の挿入穴１２，１２にレンズブロック１８のピン１９，２０を挿入して、レンズブロック１８を固体撮像装置１の撮像面側に配置する。そして、レンズブロック１８を移動してピン１９を固体撮像装置１のパイロット部６に当接させ、固体撮像装置１に対するレンズブロック１８のＸ、Ｙ方向の位置決めが一義的になされるとともに、ガイド部７内のピン２０により回転規制されて位置決めされる。そして、固体撮像装置１に対して位置決めされたレンズブロック１８を図示しないビスや接着剤などで固体撮像装置１又は配線基板１１に固定する。これで、配線基板１１上に装着された固体撮像装置１とレンズブロック１８が光軸を一致させた状態で所定の位置に装着される。
【００１８】
なお、ガイド部７とガイドピン１６あるいはピン２０の間にはクリアランスがあり、回転方向には誤差が生ずるが、従来技術の固体撮像装置にも丸穴とピンおよび長穴とピンの両者の間にクリアランスがあり、従来技術の固体撮像装置の丸穴とピンおよび長穴とピンの両者の間にクリアランスと、本発明のガイド部７とガイドピン１６あるいはピン２０の間にはクリアランスが同じである場合、本発明の固体撮像装置１ではパイロット部６とパイロットピン１６あるいはピン１９とは当接させているのでクリアランスはほとんどなくよって本発明の回転方向の誤差は、従来技術の固体撮像装置に比べておおよそ１／２程度に減少する。
【００１９】
【発明の効果】
以上説明したとおり、本発明の固体撮像装置はパッケージの端部に外側から開口されたガイド部を設けているので、穴基準の固体撮像装置のパッケージより小型化することができる。さらに、パイロット部を外方開口の切り欠き部とし、ガイド部を外方開口の切り欠き部とし、前記パイロット部にパイロットピンを当接させて位置決めを行い、ガイド部内にガイドピンを嵌入して回転規制しているので、固体撮像素子の搭載や固体撮像装置の配線基板への実装あるいはレンズブロックの実装時の位置決め精度を向上することができる。
【図面の簡単な説明】
【図１】  本発明の固体撮像装置の平面図（Ａ）、側面図（Ｂ）およびＳ矢視図（Ｃ）である。
【図２】  本発明の固体撮像装置のパッケージの位置決め方法を説明する平面図である。
【図３】  本発明の固体撮像装置の組み付け状態を説明する斜視図である。
【図４】従来の固体撮像装置の正面図（Ａ）および側面図（Ｂ）である。
【符号の説明】
１ 固体撮像装置 ２ 固体撮像素子 ３ パッケージ
４ 外部リード ５ キャップ ６ パイロット部 ７ ガイド部
８、１６ パイロットピン ９、１７ ガイドピン １１ 配線基板
１２ 挿入穴 １３ 接着剤 １４ ランドパターン １５ 治具
１８ レンズブロック １９ ピン ２０ ピン
【図１】
0003750276.tif 000002
【図２】
0003750276.tif 000003
【図３】
0003750276.tif 000004
【図４】
0003750276.tif 000005